(57)【要約】【課題】  本発明は、使用しない場合には使用する場合よりも占有スペースを狭小化することができ、且つ、トイレであることを認識することに伴う不快感を解消することができる簡易小便器を提供することを可能にすることを目的としている。【解決手段】  タンク２２及び該タンク２２に連通された受け部２１とを備える小便器２と、該小便器２を覆うカバー体３とを備える簡易小便器１において、該カバー体３は、小便器２を保持する保持部４と、該保持部４を支持すると共に該保持部４に保持された小便器２を側方から後背に亘って覆う固定カバー５と、該固定カバー５に枢支された開閉カバー６とを備え、該開閉カバー６は、小便器２を側方から前方に亘って覆う閉じ状態と、小便器２の前方を露出させる開き状態との間で開閉自在に構成したことを特徴とする。【選択図】      図９
2009127270.tif 000002
【特許請求の範囲】
【請求項１】
タンク及び該タンクに連通された受け部とを備える小便器と、該小便器を覆うカバー体とを備える簡易小便器において、
該カバー体は、前記小便器を保持する保持部と、該保持部を支持すると共に該保持部に保持された前記小便器を側方から後背に亘って覆う固定カバーと、該固定カバーに枢支された開閉カバーとを備え、該開閉カバーは、前記小便器を側方から前方に亘って覆う閉じ状態と前記小便器の前方を露出させる開き状態との間で開閉自在とされていることを特徴とする簡易小便器。
【請求項２】
前記保持部は、前記固定カバーに連結されて前記小便器を地面から離間した状態に支持する載置台と、該載置台から下方に伸びる一又は複数の脚部とを備えていることを特徴とする請求項１に記載の簡易小便器。
【請求項３】
前記カバー体の全長は、少なくとも前記小便器の全長と同一若しくは僅かに大きく設定されていることを特徴とする請求項１又は請求項２に記載の簡易小便器。
【請求項４】
前記カバー体の全長は、少なくとも前記小便器の受け部に対向する使用者の下腹部から足首部までの長さと同一若しくは僅かに大きく設定されていることを特徴とする請求項１又は請求項２に記載の簡易小便器。
【請求項５】
前記カバー体は、前記保持部に保持された前記小便器の上方に配備された上カバーを備え、該上カバーは、前記固定カバーに支持されて前記小便器の後上方を覆う第１カバーと、該第１カバーに枢支されて前記小便器の前上方を覆う閉じ状態と前記小便器の前上方を開放する開き状態との間で開閉自在とされる第２カバーとを備えていることを特徴とする請求項１乃至請求項４のいずれかに記載の簡易小便器。
【請求項６】
前記カバー体には、使用者が持ち運ぶための把持部が設けられていることを特徴とする請求項１乃至請求項５のいずれかに記載の簡易小便器。
【発明の詳細な説明】
【技術分野】
【０００１】
本願発明は、建設現場や解体現場に用いられる簡易小便器に関する。
【背景技術】
【０００２】
従来、この種の簡易小便器においては、タンクの直上に受け部を取り付けて形成される仮設トイレに対し、互いに揺動自在に枢支される３つの衝立からなる折り畳み自在な囲い用具を配備する技術が知られている（特許文献１）。
【０００３】
特許文献１の囲い用具においては、第１の衝立と第２の衝立とがヒンジ機構を介して連結されると共に、第２の衝立と第３の衝立とがヒンジ機構を介して連結されており、前記仮設トイレの後背に対向して第２の衝立を設置し、第１の衝立を開いて仮設トイレの一側方に対向した状態で地面に固定すると共に第３の衝立を開いて仮設トイレの他側方に対向した状態で地面に固定することにより、仮設トイレの側方及び後方を囲うものとなっている。
【０００４】
【特許文献１】実開昭６３−１４０４５８号公報
【発明の開示】
【発明が解決しようとする課題】
【０００５】
ところで、建設現場や解体現場においては、仮設トイレを設けると該仮設トイレが敷地内の一定のスペースを常に占めるため、該スペースを建設計画や解体計画の当初から設計しなければならないばかりか、該仮設トイレが障害物となって現場の作業効率も低下する虞があった。かかる問題は、特に狭小敷地において顕著なものとなる。
【０００６】
しかしながら、上記特許文献１に示す囲い用具においては、第１及び第３の衝立が地面に固定された状態に支持されるので、囲い用具を設置した状態では常に一定のスペースを占めることとなり、これによって上記作業効率を十分に向上させることができない問題があった。また、上記特許文献１の囲い用具においては、トイレ全体を移動させようとすると仮設トイレと囲い用具とを別々に移動させる必要があり、当該移動作業が面倒であるという問題があった。
【０００７】
また、上記特許文献１の囲い用具においては、仮設トイレの後方から側方に亘って覆いつつも前方は常時開放を前提とされているので、当該スペースがトイレスペースであることを作業者や通行人に認識可能となり、図らずもこれらの人々に不快感を与えるものとなるという問題もある。
【０００８】
そこで、本発明は、使用しない場合には使用する場合よりも占有スペースを狭小化することができると共に容易に移動させることができ、且つ、トイレであることを認識することに伴う不快感を解消することができる簡易小便器を提供することを目的とする。
【課題を解決するための手段】
【０００９】
上記課題解決のための具体的手段として、本願発明に係る簡易小便器は、（１）タンク及び該タンクに連通された受け部とを備える小便器と、該小便器を覆うカバー体とを備える簡易小便器において、該カバー体は、前記小便器を保持する保持部と、該保持部を支持すると共に該保持部に保持された前記小便器を側方から後背に亘って覆う固定カバーと、該固定カバーに枢支された開閉カバーとを備え、該開閉カバーは、前記小便器を側方から前方に亘って覆う閉じ状態と前記小便器の前方を露出させる開き状態との間で開閉自在とされていることを特徴としている。
【００１０】
これによれば、カバー体の開閉カバーを開き状態に設定することにより、小便器が露出され、使用者は小便器の前に立って用を足すことが可能となる。このとき、固定カバーよりも前方の空間及び閉じ状態から開き状態に設定される開閉カバーに対向し且つ小便器前方の空間がトイレのためのスペースとなる。一方、前カバーを閉じ状態とすると、小便器前方のスペースは上述の如きトイレのためのスペースから通常の通路スペースとなり、トイレとしてのスペースは固定カバーと閉じ状態の開閉カバーとによって覆われるスペースのみとなる。
【００１１】
また、前カバーを閉じ状態とすると、トイレはカバー体に覆われることとなり、これによって当該カバー体に覆われた空間内に小便器があると外見上認識し難くなり、小便器を認識することに伴う不快感の抑制を図ることができる。
【００１２】
また、保持部に小便器が保持されているので、小便器とカバー体とを同時に持ち運ぶことができ、当該簡易小便器の持ち運びを容易に行うことができる。
【００１３】
（２）また、前記支持部は、前記固定カバーに連結されて前記小便器を地面から離間した状態に支持する載置台と、該載置台から下方に伸びる一又は複数の脚部とを備えていることが好ましい。
【００１４】
これによれば、小便器を支持部を介して地面に設置することができ、該小便器の安定性を向上させることができる。また、小便器は脚部を介して地面から離間して設置されることとなる。したがって、該地面が不陸である場合であっても、支持部の脚部を地面に埋め込む等して小便器と地面との間の空間により当該不陸を形成する地面の凹凸を吸収することにより載置台の水平に保つことができ、小便器の安定性を向上させることができる。
【００１５】
（３）前記カバー体の全長は、少なくとも前記小便器の全長と同一若しくは僅かに大きく設定されていることが好ましい。
【００１６】
これにより、当該カバー体は前記小便器のみを覆うこととなり、この結果、簡易小便器全体の著しい小型化を図ることができる。
【００１７】
（４）前記カバー体の全長は、少なくとも前記小便器の受け部に対向する使用者の下腹部から足首部までの長さと同一若しくは僅かに大きく設定されていることが好ましい。
【００１８】
これにより、開閉カバーを開き状態にすることで該開閉カバーにより使用者の側方を下腹部から足首部に亘って隠すことができると共に、固定カバーにより使用者の前方を下腹部から足首部に亘って隠すことができ、当該小便器を使用している使用者の使用状態を前方から側方に亘って隠すことができる。
【００１９】
（５）また、前記カバー体は、前記保持部に保持された前記小便器の上方に配備された上カバーを備え、該上カバーは、前記固定カバーに支持されて前記小便器の後上方を覆う第１カバーと、該第１カバーに枢支されて前記小便器の前上方を覆う閉じ状態と前記小便器の前上方を開放する開き状態との間で開閉自在とされる第２カバーとを備えていることをが好ましい。
【００２０】
これによれば、開閉カバーを閉じ状態に設定すると共に上カバーの第２カバーを閉じ状態とすることにより、小便器の四周のみでなく上方もカバー体に覆われることとなり、さらに該簡易小便器をトイレであると認識することが困難となる。
【００２１】
（６）さらに、前記カバー体には、使用者が持ち運ぶための把持部が設けられていることが好ましい。
【００２２】
これにより、把持部を掴んでカバー体及び小便器を同時に持ち運ぶことができ、持ち運び作業をきわめて簡便に行うことができる。
【発明の効果】
【００２３】
本発明の簡易小便器によれば、使用しない場合には使用する場合よりも占有スペースを狭小化することができ、且つ、トイレであることを認識することに伴う不快感を解消することができる。
【発明を実施するための最良の形態】
【００２４】
以下、本発明の実施の形態につき、図面を用いて詳細に説明する。図１〜図９に示す如く、本発明に係る簡易小便器１は、使用者から排出される小便を処理する小便器２と、該小便器２を覆うカバー体３とを備えている。
【００２５】
なお、ここで、小便とは、使用者から排出される小便はもちろん、飲み物の残りや雨水、現場で発生した排水や泥水その他の液体をも含む。
【００２６】
小便器２は、使用者から排出される小便を受ける受け部２１と、該受け部２１で受けた小便を一時的に貯留しておくタンク２２と、該タンク２２と受け部２１とを連通する管部２３とを備えている。
【００２７】
受け部２１は、樹脂にプレス成形を施して椀状に形成されており、開口縁と最深部の中途部となる位置に該受け部２１の内周面と外周面とを貫通する貫通孔２４が形成されている。また、該受け部２１は、貫通孔２４の軸芯を鉛直若しくは略鉛直とした状態でタンク２２の上方に配備されるため、開口縁を起き上がらせた状態に設定される。
【００２８】
タンク２２は、樹脂にプレス成形等を施してボックス状に形成されており、上壁部に連通口２５が形成されている。当該連通口２５はキャップにより封止可能に形成されている。また、側壁部又は底壁部にもキャップにより封止可能なドレイン口２６が形成されている。該ドレイン口２６は通常の使用状態においてはキャップにより封止されており、これによってタンク２２内に小便を貯留することができる。また、キャップを外してドレイン口２６を開放することにより、該ドレイン口２６を通じてタンク２２内に貯留された小便等の流体が排出される。
【００２９】
また、管部２３は、小便器２の貫通孔２４及びタンク２２の連通口２５に接続可能に形成されており、これによって、小便器２で受けた小便は貫通孔２４、管部２３及び連通口２５を通じてタンク２２内に貯留される。
【００３０】
なお、管部２３は、小便器２又はタンク２２のいずれか一方に固定可能に形成されていることが好ましく、これら小便器２又はタンク２２と一体に形成されているものを採用することも可能である。
【００３１】
カバー体３は、小便器２を覆うボックス状に形成されており、小便器２を保持する保持部４と、該保持部４を支持すると共に該保持部４に保持された小便器２を側方から後背に亘って覆う固定カバー５と、該固定カバー５に枢支された開閉カバー６とを備えている。
【００３２】
固定カバー５は、互いに直角又は略直角となった状態で起立する一対の固定衝立５１、５２を備えている。各固定衝立５１、５２は、小便器２よりも大きい幅を有すると共に該小便器２の全長よりも僅かに高い全長を有して形成されている。即ち、カバー体３の全長は、少なくとも小便器２の全長と同一若しくは僅かに大きく設定されている。また、各固定衝立５１、５２は、長方形状の枠状に形成された金属製の枠体５３の枠内に樹脂製のパネル５９を嵌め込み、当該パネル５９を枠体５３の両側枠５３ａ、５３ｂ又は上下枠５３ｃ、５３ｄに突設された複数個（本実施形態においては６個）のブラケット５４にボルト接合又は皿ねじ接合して形成されている。
【００３３】
また、各固定衝立５１、５２の側枠５３ａ、５３ｂの下端部には、脚部５６がそれぞれ形成されており、各脚部５６は、側枠５３ａ、５３ｂの下端部から下方に延設されている延設部５６ａと、該延設部５６ａの先端に設けられて地面Ｇに接する平板部５６ｂとを備えている。
【００３４】
なお、本実施形態においては、一方の固定衝立５１、５２と他方の固定衝立５１、５２の連結部分の側枠５３ａは、当該一方の固定衝立５１の側枠と他方の固定衝立５２の側枠とを兼ねている。
【００３５】
また、各衝立５１、５２には、一方の側枠５３ａ、５３ｂから他方の側枠５３ａ、５３ｂに渡って把持部５８が設けられている。即ち、カバー体３には、使用者が持ち運ぶための把持部５８が設けられている。
【００３６】
開閉カバー６は、一方の固定衝立５１に枢支された一方の開閉衝立６１と、他方の固定衝立５２に枢支された他方の開閉衝立６２とを備えている。
【００３７】
これら各開閉衝立６１、６２は、上述の固定衝立５１、５２と同様であって、小便器２よりも大きい幅を有すると共に該小便器２の全長よりも僅かに高い全長を有し、長方形状の枠状に形成された金属製の枠体６３の枠内に樹脂製のパネル６９を嵌め込み、該枠体６３の両側枠６３ａ、６３ｂ又は上下枠６３ｃ、６３ｄに突設された複数個（本実施形態においては６個）のブラケット６４に該パネル６９をボルト接合又は皿ねじ接合等により連結されて形成されている。
【００３８】
これにより、各衝立５１、５２、６１、６２はいずれも同形状の外形を有するものとなり、該カバー体３により包囲される空間に小便器２を収容すると、いずれの衝立５１、５２、６１、６２も小便器２にきわめて近接若しくは当接した状態で対向することとなる。この結果、小便器２がカバー体３に包囲された状態では転倒の虞がないばかりか、簡易小便器１の全体形状が極めて小さなものとなり、当該カバー体３内に小便器２が収容されていると認識し難いものとなるのである。
【００３９】
また、上述の如き開閉カバー６の各開閉衝立６１、６２の全長は、換言すると、少なくとも前記小便器２の受け部２１に対向する使用者の下腹部から足首部までの長さと同一若しくは僅かに大きく設定されているということも可能である。即ち、カバー体３の全長は、少なくとも小便器２の受け部２１に対向する使用者の下腹部から足首部までの長さと同一若しくは僅かに大きく設定されている。
【００４０】
なお、本実施形態においては、各衝立５１、５２、６１、６２の幅は４００ｍｍとされる共に、高さ（全長）は、８００ｍｍとされている。
【００４１】
また、一方の開閉衝立６１は、一方の側枠６３ａが鉛直方向に回転軸心を有するヒンジ機構６５を介して一方の固定衝立５１に枢支されている。また、他方の開閉衝立６２も、一方の側枠６３ａが鉛直方向に回転軸心を有するヒンジ機構６５を解して他方の固定衝立５２に枢支されている。これにより、開閉カバー６は、両開閉衝立６１、６２の他方の側枠６３ｂ、６３ｂどうしが対向し合う閉じ状態と、該他方の側枠６３ｂ、６３ｂどうしが互いに離間し合う開き状態の間で開閉自在とされている。
【００４２】
即ち、開閉カバー６は、図８に示すように、小便器２を側方から前方に亘って覆う閉じ状態と、図９に示すように、小便器２の前方を露出させる開き状態との間で開閉自在とされている。
【００４３】
また、これら各開閉衝立６１、６２の他方の側枠６３ｂ、６３ｂ間にはロック機構６６が設けられており、該ロック機構６６を介してこれら各開閉衝立６１、６２の他方の側枠６３ｂ、６３ｂどうしを連結することより、開閉カバー６は閉じ状態に維持される。
【００４４】
保持部４は、カバー体３の固定カバー５に連結されて小便器２を地面Ｇから離間した状態に支持する載置台４１と、該載置台４１から下方に伸びる脚部４２とを備えている。
【００４５】
載置台４１は、Ｌ字状に組み合わされた一対の枠部材４３、４４と、一方の枠部材４３と平行に等間隔で複数本（本実施形態においては３本）の補強部材４５とを備え、これら一対の枠部材４３、４４の端部及び補強部材４５の端部をそれぞれ固定カバー５の一対の固定衝立５１、５２の下枠５３ｄに連結して形成されている。また、該載置台４１は、上述の如く固定カバー５に連結されることにより、カバー体３により形成される正方形状の断面形状よりも一回り小さい正方形状を呈する。
【００４６】
脚部４２は、前記両固定カバー５の一方の側枠５３ａを兼ねる部材から一対の枠部材４３、４４の連結部に向けて対角線上に伸びて載置台４１を支持する横桟４６と、該横桟４６の先端部から下方に伸びる延設部４７と、該延設部４７の先端に形成される平板部４８とを備えている。該平板部４８の裏面は、各側枠５３ａ、５３ｂの下端から伸びる脚部５６の平板部５６ｂの裏面と同一平面状に位置しており、これにより、カバー体３及び小便器２は、これら４つの脚部５６により地面Ｇから離間した状態で支持されることとなる。
【００４７】
また、カバー体３は、保持部４の載置台４１上に載置される小便器２の上方に配備される上カバー７を備えている。該上カバー７は、閉じ状態とした開閉カバー６の開閉衝立６１、６２及び固定衝立５１、５２の上枠の輪郭に沿う正方形状に平板により形成されている。また、該上カバー７は、一方の開閉衝立６１、６２と固定衝立５１、５２の連結端から他方の開閉衝立６１、６２と固定衝立５１、５２との連結端に亘る対角線状に裏面側から表面側に向けて切り込みが設けられており、これによって、二分された一対の三角形板が当該切込みを介して互いに相対回転自在となっている。
【００４８】
これら一対の三角形板の内、小便器２の後上方側となる三角形板は固定カバー５に固定支持されて該小便器２の後上方を覆う三角形状の第１カバー７１となり、他方の三角形板は、上記切込みにより該第１カバー７１に枢支されて小便器２の前上方を覆う閉じ状態と小便器２の前上方を開放する開き状態との間で開閉自在とされている第２カバー７２となる。
【００４９】
また、該第２カバー７２と開閉カバー６との間には面ファスナー等の係止部材（図示省略）が設けられており、これによって、第２カバー７２は、閉じ状態とした開閉カバー６に係止されて閉じ状態が維持されるものとなる。
【００５０】
本発明の簡易小便器１は以上の構成からなるものであって、次に、該簡易小便器１の使用方法について説明する。
【００５１】
まず、簡易小便器１を所定の位置に設置する。当該設置位置としては、開閉カバー６を閉じ状態に設定しているときに該簡易小便器１の前方に使用者等が通行可能な程度のスペースが設けられていることが好ましい。当該簡易小便器１を建設現場や解体現場で用いる場合、不陸な地面Ｇの上に設置することも考えられるが、小便器２は保持部４の載置台４１により地面Ｇから離間した状態で保持されて該載置台４１と地面Ｇとの間には所定のスペースが存在すると共に、これら小便器２及びカバー体３は脚部４２、５６により支持されているので、該脚部４２、５６のいずれかを地面Ｇに埋め込む等することが可能であり、これによって上記スペースにより不陸を構成する地面の凹凸を吸収してこれら脚部４２、５６間の水平を維持することにより、載置台４１ひいては小便器２の水平が維持されて該小便器２を安定した状態に保持されるのである。
【００５２】
そして、使用者が該簡易小便器１を用いる際には、まず、上カバー７の第２カバー７２を閉じ状態から開き状態に設定する。
【００５３】
次に、開閉カバー６の一対の開閉衝立６１、６２間に設けられているロック機構６６を解除する。これにより、開閉カバー６の一対の開閉衝立６１、６２は揺動自在となる。そして、該一対の開閉衝立６１、６２を開いて開閉カバー６を閉じ状態から開き状態に設定する。これにより、小便器２は前部から前上部に亘って露出することとなる。
【００５４】
そして、これら開いた一対の開閉衝立６１、６２の間に起立することにより、使用者は該小便器２と正対することとなる。ここで、カバー体３の開閉カバー６及び固定カバー５を構成する各衝立５１、５２、６１、６２は、使用者の下腹部から足首部と同程度の全長（高さ）を有しているので、開閉衝立６１、６２間に起立した使用者の前部は固定カバー５を構成する一対の固定衝立５１、５２に覆われると共に側部は開閉カバー６を構成する一対の開閉衝立６１、６２に覆われ、これによって使用者が小便器２に向けて用を足している状態を簡易小便器１の周囲から視認することはできないものとなる。
【００５５】
なお、小便器２の受け部２１はタンク２２に対して相対回転自在であるので、受け部２１の向きを調整することにより、一方の開閉衝立６１、６２のみを開いて使用状態に設定することももちろん可能である。
【００５６】
そして、用を足し終わった後、使用者は、上述の手順と逆の手順を行うことにより、即ち、開閉カバー６を開き状態から閉じ状態に設定してロック機構６６により一対の開閉衝立６１、６２をロックし、その後、上カバー７の第２カバー７２を開き状態から閉じ状態に設定することにより、当該小便器２はもとのボックス状態に戻ることとなるのである。
【００５７】
本発明の簡易小便器１においては、上述の如くカバー体３の開閉カバー６を開き状態に設定することにより、固定カバー５よりも前方の空間及び閉じ状態から開き状態に設定される開閉カバー６に対向し且つ小便器２前方の空間がトイレのためのスペースとなる。一方、開閉カバー６を閉じ状態とすると、簡易小便器１はボックス状となると共に該簡易小便器１前のスペースはトイレとしてのスペースから通常の通路スペースに戻ることとなる。
【００５８】
このように、本発明の簡易小便器１は、トイレとして使用するときのみ前方のスペースを含んでトイレのためのスペースとなるが、使用しない場合にはボックス状に最小化されると共に前方のスペースも通常の通路スペースとなる。一日あたりのトイレの使用頻度に鑑みれば、トイレとして使用される場合はきわめて一時的なものであり、その殆どが最小化されたボックス状であると共にその前方のスペースも通路空間として用いられるので、当該簡易小便器１を建設現場や解体現場で用いる場合であっても当該簡易小便器１が現場での作業性を低下させる虞は著しく小さなものとなる。
【００５９】
もちろん、上述の如く不使用状態においてはボックス状に最小化されるので、敷地内のいずれの位置にも設置することができ、設置位置に困る虞もない。
【００６０】
さらには、小便器２はカバー体３に支持される保持部４に保持されているため、小便器２をカバー体３とを同時に持ち運ぶことができるばかりでなく、不使用状態においては使用者の腹部程度の全長であると共に幅及び奥行きも使用者の肩幅程度であるため、使用者一人であっても把持部５８等を掴んできわめて容易に持ち運ぶことができ、設置スペースを作業状況に応じて適宜変更することができ、これによっても、簡易小便器１の設置位置に困る虞は低減されている。
【００６１】
また、開閉カバー６及び上カバー７を閉じ状態とすると、簡易小便器１は上述の如くボックス状を呈することとなり、これによってカバー体３に覆われた空間内に小便器２があると外見上認識し難くなり、小便器２を認識することに伴う不快感が抑制される。
【００６２】
また、不使用状態においては、小便器２は四周のみでなくその上方もカバー体３に覆われることとなるので、小便器２から発生する悪臭の周囲への拡散が著しく抑制されるものとなる。
【００６３】
以上、本発明の簡易小便器１の実施形態について詳述したが、本発明は上記実施形態にのみ限定されるものではない。
【００６４】
例えば、カバー体３は、開閉カバー６及び上カバー７を閉じ状態とすることにより直方体状のボックス形状を呈することとなるが、三角柱状や六角柱状の多角柱状や円柱状を呈するものであっても本発明と同様の作用効果を奏する。
【００６５】
また、保持部４は、固定カバー５に小便器２を懸架させる構成のものを採用することも可能である。
【００６６】
また、各衝立には適宜、補強部材を配備することも可能である。また、一対の固定衝立５１、５２の互いに対向しあう側枠５３ｂ、５３ｂの上端部間に補強バーを設けるものであっても、本発明と同様の作用効果を奏する。
【００６７】
また、開閉カバー６においても、上述の如き所謂観音開きの構成のみでなく、一対の開閉衝立６１、６２を互いに固定連結し、一方の開閉衝立６１のみをヒンジ機構６５を介して固定カバー５に連結することで片開きの構成を採用することも可能である。
【００６８】
また、保持部４の横桟４６の先端部は、開閉カバー６を閉じ状態とすると一対の開閉衝立６１、６２の下枠６３ｄとそれぞれ対向することとなるが、当該対向位置にマグネット等を仕込む構成を採用することも可能である。これにより、開閉カバー６の閉じ状態の姿勢を安定させることができる。
【００６９】
また、上カバー７は、その全体を固定カバー５又は開閉カバー６に枢支させる構成を採用することも可能である。
【産業上の利用可能性】
【００７０】
本発明の活用例として、建設現場や解体現場に用いられる簡易小便器に適用出来る。
【図面の簡単な説明】
【００７１】
【図１】本発明に係る簡易小便器の構成を示す正面図である。
【図２】本発明に係る簡易小便器の構成を示す左側面図である。
【図３】本発明に係る簡易小便器の構成を示す背面図である。
【図４】本発明に係る簡易小便器の構成を示す右側面図である。
【図５】本発明に係る簡易小便器の構成を示す平面図である。
【図６】本発明に係る簡易小便器の構成を示す底面図である。
【図７】図１のＡ−Ａ断面図である。
【図８】本発明に係る簡易小便器の閉じ状態の斜視図である。
【図９】本発明に係る簡易小便器の開き状態の斜視図である。
【符号の説明】
【００７２】
１…簡易小便器
２…小便器
３…カバー体
４…保持部
５…固定カバー
６…開閉カバー
７…上カバー
２１…受け部
２２…タンク
２３…管部
２４…貫通孔
２５…連通口
２６…ドレイン口
４１…載置台
４２…脚部
４３，４４…枠部材
４５…補強部材
４６…横桟
４７…延設部
４８…平板部
５１，５２…固定衝立
５３…枠体
５３ａ，５３ｂ…側枠
５３ｃ，５３ｄ…上下枠
５４…ブラケット
５６…脚部
５６ａ…延設部
５６ｂ…平板部
５８…把持部
５９…パネル
６１，６２…開閉衝立
６３…枠体
６３ａ，６３ｂ…側枠
６３ｃ，６３ｄ…上下枠
６４…ブラケット
６５…ヒンジ機構
６６…ロック機構
６９…パネル
７１…第１カバー
７２…第２カバー
Ｇ…地面
【図１】
2009127270.tif 000003
【図２】
2009127270.tif 000004
【図３】
2009127270.tif 000005
【図４】
2009127270.tif 000006
【図５】
2009127270.tif 000007
【図６】
2009127270.tif 000008
【図７】
2009127270.tif 000009
【図８】
2009127270.tif 000010
【図９】
2009127270.tif 000011